(57)【要約】【課題】蓄力バネの外端の引っ掛け止め部分に工夫を施してバネの浮き上がり防止すなわち軸方向のクリアランスを一定に保つように工夫した新規のリコイルスタータ装置を提供する。【解決手段】蓄力バネ４の外端部にＵの字形状の外端用掛側フック部９を設け、蓄力バネ収納部５の周壁の開口縁面１０に外端用掛側フック部９の収納空間として機能する凹所１１を設けることによって外端用受側フック部８を形成し、外端用掛側フック部９の先端に当該先端の角を切り欠くことによって浮き上り防止用突起部１４を設け、凹所１１の壁面に浮き上り防止用突起部１４の差込孔部１５を設け、外端用掛側フック部９の引っ掛け状態時には浮き上り防止用突起部１４の上側縁面１６が差込孔部１５の天面１７に係合して浮き上りを阻止するようにして成るたものである。【選択図】　　　　図１
2004011472.tif 000002
【特許請求の範囲】
【請求項１】
蓄力バネ４の収納部５に同蓄力バネ４の外端を引っ掛ける外端用受側フック部８を備えたリコイルスタータ装置に関し、蓄力バネ４の外端部にＵの字形状の外端用掛側フック部９を設け、また蓄力バネ収納部５の周壁の開口縁面１０に前記外端用掛側フック部９の収納空間として機能する凹所１１を設けることによって外端用受側フック部８を形成すると共に前記外端用掛側フック部９の先端に当該先端の角を切り欠くことによって浮き上り防止用突起部１４を設け、また前記凹所１１の壁面において引っ掛け状態とされた外端用掛側フック部９の先端と対応する個所に前記浮き上り防止用突起部１４の差込孔部１５を設け、前記外端用掛側フック部９の引っ掛け状態時には浮き上り防止用突起部１４の上側縁面１６が差込孔部１５の天面１７に係合して浮き上りを阻止するようにして成ることを特徴とするリコイルスタータ装置。
【発明の詳細な説明】
【０００１】
【発明が属する技術分野】
本発明は、リコイルバネおよび蓄力バネを利用したリコイルスタータ装置に関し、具体的には蓄力バネの外端の引っ掛け止め部分に工夫を施してバネの浮き上がり防止すなわち軸方向のクリアランスを一定に保つように工夫したリコイルスタータ装置に関する。
【０００２】
【従来の技術】
従来知られているこの種のリコイルスタータ装置は、バネの外端を折り返してＵの字形状の外端用掛側フック部を形成し、またバネ収納部の周壁の開口縁面に同バネの収納部の内方に向っても開放する深いＬの字形状の凹所を設けて前記外端用掛側フック部を引っ掛け止めるための外端用受側フック部を形成し、この外端用受側フック部に対して前記外端用掛側フック部を単に引っ掛け止るだけの構成であった（実開昭５３−４８２２３参照）。
【０００３】
このために、繰返し使用しているうちにバネの収納部（香箱部）内での納まりがルーズな状態すなわち浮き上り現象を惹起している状態になってしまいやすいという問題点があった。
【０００４】
【発明が解決しようとする課題】
本発明は、前記問題点を解消する工夫を施した新規のリコイルスタータ装置を提供することを目的とする。
【０００５】
【課題を解決するための手段】
上記目的を達成するために本発明に係るリコイルスタータ装置は、蓄力バネ４の収納部５に同蓄力バネ４の外端を引っ掛ける外端用受側フック部８を備えたリコイルスタータ装置に関し、蓄力バネ４の外端部にＵの字形状の外端用掛側フック部９を設け、また蓄力バネ収納部５の周壁の開口縁面１０に前記外端用掛側フック部９の収納空間として機能する凹所１１を設けることによって外端用受側フック部８を形成すると共に前記外端用掛側フック部９の先端に当該先端の角を切り欠くことによって浮き上り防止用突起部１４を設け、また前記凹所１１の壁面において引っ掛け状態とされた外端用掛側フック部９の先端と対応する個所に前記浮き上り防止用突起部１４の差込孔部１５を設け、前記外端用掛側フック部９の引っ掛け状態時には浮き上り防止用突起部１４の上側縁面１６が差込孔部１５の天面１７に係合して浮き上りを阻止するようにして成るものである。
【０００６】
【実施例】
図に示す実施例は、リコイルバネ１によってロープ２を巻き取るリール３に蓄力バネ４の収納部５を一体に設け、この蓄力バネ収納部５の開口縁面を内燃機関のクランク軸への伝達機能を果す１対の突起７をもつ蓋部材６で塞いで蓄力バネ４の外出を阻止するようにした形式のリコイルスタータ装置であって、蓋部材６の内面に蓄力バネ４の内端を引っ掛ける内端用受側フック部（図示せず）を設け、また収納部５の外周に蓄力バネ４の外端を引っ掛ける外端用受側フック部８を設けたものである。
【０００７】
このリコイルスタータ装置は、蓄力バネ４の外端に同端を折り返してＵの字形状の外端用掛側フック部９を形成し、また蓄力バネ収納部５の周壁の開口縁面１０に同蓄力バネ収納部５の開口方向および中心方向に向って開放して前記外端用掛側フック部９の収納空間として機能する深いＬの字形状の凹所１１を設けることによって前記外端用掛側フック部９を引っ掛け止める外端用受側フック部８を形成する。なお、この実施例はＬの字形状の凹所１１の２つを所謂背中合せの状態すなわちＴの字を呈する状態として１対の外端用受側フック部８を蓄力バネ収納部５に設け、これ等外端用受側フック部８により蓄力バネ収納部５を左巻きの蓄力バネにでも右巻き蓄力バネにでも利用できるようにしてあるものである。
【０００８】
更に、前記Ｕの字形状外端用掛側フック部９の先端の一方側角部分をＬ状に切り欠くことによって蓄力バネ４の半分程度の幅とした浮き上り防止用突起部１４を設け、また前記凹所１１の壁面において引っ掛け状態とされた外端用掛側フック部９の先端と対向する個所に浮き上り防止用突起部１４の差込孔部１５を設けたものであって、浮き上り防止用突起部１４の上側縁面１６が差込孔部１５の天面１７に係合して浮き上りを阻止するようにしたものである。
【０００９】
図５に示す別異の実施例は、Ｌの字形状の凹所１１の２つを所謂向え合せの状態として外端用受側フック部８を蓄力バネ収納部５に設け、これ等外端用受側フック部８により蓄力バネ収納部５を左巻きの蓄力バネにでも右巻き蓄力バネにでも利用できるようにしたものである。
【００１０】
【発明の効果】
本発明に係るリコイルスタータ装置は、上記のような構成であるので、Ｕの字形状外端用掛側フック部を外端用受側フック部に引っ掛け止めたときには、Ｕの字形状外端用掛側フック部の先端に設けた浮き上り防止用突起がＬの字形状凹所に設けた差込部に差し込まれ、当該浮き上り防止用突起の上側縁面が差込部の天面に係合して浮き上りを阻止し、スタータの軸方向のクリアランスを保つものであって、次のような著効をも奏するものである。
【００１１】
ａ．クリアランスがなくなると、各部品の摺動が悪くなり、ロープの戻り不良が発生するというような問題点をなくすることができる。
ｂ．蓄力バネとこの蓄力バネの蓋部分が接触して、カジリやフリックションを惹起するというような欠陥を解消することができる。
ｃ．Ｕの字形状外端用掛側フック部の先端に延長部を設けて当該延長部の角をＬ状等に切り欠くことによって浮き上り防止用突起部１４を設けるようにしたので、浮き上り防止用突起部１４の上側縁面１６と差込孔部１５の天面１７との係合状態を確保して蓄力バネの浮き上りを阻止するようにするために、蓄力バネの幅方向の寸法およびバネ収納部の深さ方向の幅寸法所謂厚さ寸法を既存の寸法のままで変更しないでも実施できる利点がある。
【図面の簡単な説明】
【図１】本発明の実施例を示す一部切截平面図である。
【図２】同じく一部切截正面図である。
【図３】同じく一部切截側面図である。
【図４】同じく要部の拡大斜視図である。
【図５】別異の実施例を示す平面図である。
【符号の説明】
１　リコイルバネ
２　ロープ
３　リール
４　蓄力バネ
５　収納部
６　蓋部材
７　突起
８　外端用受側フック部
９　外端用掛側フック部
１０　開口縁面
１１　凹所
１４　防止用突起部
１５　差込孔部
１６　上側縁面
１７　天面
【図１】
2004011472.tif 000003
【図２】
2004011472.tif 000004
【図３】
2004011472.tif 000005
【図４】
2004011472.tif 000006
【図５】
2004011472.tif 000007